(57)【要約】【課題】  複数の記録層間における内周側での相対位置関係のズレを小さくする光記録媒体を提供する。【解決手段】  光ディスク１０は、情報を光学的に記録するための第１記録層Ｌ０と、第１記録層Ｌ０を通過した光ビームＬＢにより前記情報を光学的に記録するための第２記録層Ｌ１と、を少なくとも備え、第１記録層Ｌ０及び第２記録層Ｌ１は線速度一定で前記情報が記録されており、第１記録層Ｌ０と第２記録層Ｌ１とで互いに対応するアドレス位置を第２記録層Ｌ１のアドレス位置が内周側になるように相対的にオフセットさせた場合、第２記録層Ｌ１に形成された記録トラック１４におけるトラックピッチＴＰ２を、半径方向全体に亘るオフセット値が所定値以下になるように第１記録層Ｌ０に形成された記録トラック１２におけるトラックピッチＴＰ１よりも狭くしている。【選択図】  図１
2006269022.tif 000002
【特許請求の範囲】
【請求項１】
情報を光学的に記録するための第１記録層と、前記第１記録層を通過した光ビームにより前記情報を光学的に記録するための第２記録層と、を少なくとも備えた光記録媒体において、
前記第１記録層及び前記第２記録層は線速度一定で前記情報が記録されており、前記第１記録層と前記第２記録層とで互いに対応するアドレス位置を前記第２記録層のアドレス位置が内周側になるように相対的にオフセットさせた場合、
前記第２記録層に形成された記録トラックにおけるトラックピッチを、半径方向全体に亘るオフセット値が所定値以下になるように前記第１記録層に形成された記録トラックにおけるトラックピッチよりも狭くしたことを特徴とする光記録媒体。
【請求項２】
請求項１に記載の光記録媒体において、
前記所定範囲を２００μｍ以下になるようにするとき、前記第１記録層におけるトラックピッチに対して前記第２記録層におけるトラックピッチを０．１〜０．６％の範囲内で狭くしたことを特徴とする光記録媒体。
【請求項３】
請求項２に記載の光記録媒体において、
前記第１記録層と同じアドレスに相当する前記第２記録層のアドレス位置を前記第１記録層より内周側に１０５〜１１６μｍの範囲でオフセットさせた場合、
前記第１記録層におけるトラックピッチに対して前記第２記録層におけるトラックピッチを０．２８％狭くしたことを特徴とする光記録媒体。
【請求項４】
請求項１乃至３のいずれか一項記載の光記録媒体に対して光学的に情報を記録する情報記録装置において、
前記第１記録層に形成された記録トラックと前記第２記録層に形成された記録トラックとのいずれかに前記光ビームを照射する照射手段と、
前記光記録媒体を所定の速度で回転させる回転駆動手段と、
前記回転している光記録媒体に前記光ビームによる記録を制御する記録制御手段と、
を備えることを特徴とする情報記録装置。
【請求項５】
請求項１乃至３のいずれか一項記載の光記録媒体から光学的に情報を再生する情報再生装置において、
前記第１記録層に形成された記録トラックと前記第２記録層に形成された記録トラックとのいずれかに前記光ビームを照射する照射手段と、
前記光記録媒体を所定の速度で回転させる回転駆動手段と、
前記回転している光記録媒体からの前記光ビームの反射光を受光して当該光記録媒体に記録された情報を再生する再生手段と、
を備えることを特徴とする情報再生装置。
【発明の詳細な説明】
【技術分野】
【０００１】
本願は、情報の記録が可能な光記録媒体、当該光記録媒体に情報を記録する情報記録装置、及び上記光記録媒体から情報を再生する情報再生装置の技術分野に属する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭ、ＤＶＤ−Ｒ等の光記録媒体では、特許文献１、２に開示されているように、同一基板上に複数の記録層が積層、または貼り合わされてなる多層型若しくはデュアルレイヤ型の光ディスク等の光記録媒体も開発されている。そして、このようなデュアルレイヤ型、すなわち、２層型の光ディスクに記録を行う、ＤＶＤレコーダ等の情報記録装置では、レーザ光の照射側から見て最も手前側（すなわち、光ピックアップに近い側）に位置する第１記録層（本願では適宜「Ｌ０層」と称する）に対して記録用のレーザ光を集光することで、Ｌ０層に対して情報を加熱などによる非可逆変化記録方式や書換え可能方式で記録し、Ｌ０層等を介して、レーザ光の照射側から見てＬ０層の奥側（すなわち、光ピックアップから遠い側）に位置する第２記録層（本願では適宜「Ｌ１層」と称する）に対して該レーザ光を集光することで、Ｌ１層に対して情報を加熱などによる非可逆変化記録方式や書換え可能方式で記録することになる。
【０００３】
また、ＤＶＤ−Ｒの２層ディスクにおいて、Ｌ１層に情報を記録する場合、記録するＬ１層と同じ半径位置のＬ０層は必ず情報が記録されていなければならない。Ｌ１層に情報を記録する半径位置にＬ０層に情報が記録されていない部分が一部でも掛かると、Ｌ０層の透過率の変化によって、その上のＬ１層の記録感度が変化するため記録特性がばらつくためである。しかし、光ディスクには、貼り合わせズレや偏芯等があるため、Ｌ０層に情報を記録した後、Ｌ１層の同じアドレスから情報の記録を行うと、Ｌ０層に情報が記録されていない場所にＬ１層の情報が記録されてしまうという問題が発生する。そこで、ＤＶＤの規格に準拠するようにＬ０層と同じアドレスに相当するＬ１層のアドレス位置をＬ０層より内周側に１０５μｍ程度オフセットさせ、貼り合わせズレ、偏芯等による問題を回避していた。
【特許文献１】特開２０００−３１１３４６公報
【特許文献２】特開２００１−２３２３７公報
【発明の開示】
【発明が解決しようとする課題】
【０００４】
ところで、ＤＶＤは、ＣＬＶ（Constant Linear Velocity：線速度一定）で記録されているため、外周側に比べ内周側は、同じアドレスを進むのにより長い半径を移動する。したがって、Ｌ０層上のあるアドレス位置と同じＬ１層上のアドレス位置に到達するためには、Ｌ０層に比較してＬ１層は、より内周側に進む必要があることから、外周側で１０５μｍアドレス位置をオフセットさせると、内周側では２６０μｍ程度のオフセット量になってしまい、内周側でのＯＰＣ（Optimum Power Control）用の領域やＲＭＤ（Recording Management Data）を記録するための領域に余裕がない。また、アドレスと半径との関係をドライブがデータテーブルを参照しながら計算する方法も考えられるが、動作が煩雑になる等問題がある。
【０００５】
本願は、上記の事情を考慮してなされたもので、その課題の一例は、複数の記録層間における内周側での相対位置関係のズレを小さくすることのできる光記録媒体、これを用いた情報記録装置及び情報再生装置を提供することにある。
【課題を解決するための手段】
【０００６】
上記課題を解決するために、情報を光学的に記録するための第１記録層と、前記第１記録層を通過した光ビームにより前記情報を光学的に記録するための第２記録層と、を少なくとも備えた光記録媒体において、前記第１記録層及び前記第２記録層は線速度一定で前記情報が記録されており、前記第１記録層と前記第２記録層とで互いに対応するアドレス位置を前記第２記録層のアドレス位置が内周側になるように相対的にオフセットさせた場合、前記第２記録層に形成された記録トラックにおけるトラックピッチを、半径方向全体に亘るオフセット値が所定値以下になるように前記第１記録層に形成された記録トラックにおけるトラックピッチよりも狭くしたことを特徴とする。
【０００７】
また、請求項４に係る情報記録装置は、請求項１乃至３のいずれか一項記載の光記録媒体に対して光学的に情報を記録する情報記録装置において、前記第１記録層に形成された記録トラックと前記第２記録層に形成された記録トラックとのいずれかに前記光ビームを照射する照射手段と、前記光記録媒体を所定の速度で回転させる回転駆動手段と、前記回転している光記録媒体に前記光ビームによる記録を制御する記録制御手段と、を備えることを特徴とする。
【０００８】
さらに、請求項５に係る情報再生装置は、請求項１乃至３のいずれか一項記載の光記録媒体から光学的に情報を再生する情報再生装置において、前記第１記録層に形成された記録トラックと前記第２記録層に形成された記録トラックとのいずれかに前記光ビームを照射する照射手段と、前記光記録媒体を所定の速度で回転させる回転駆動手段と、前記回転している光記録媒体からの前記光ビームの反射光を受光して当該光記録媒体に記録された情報を再生する再生手段と、を備えることを特徴とする。
【発明を実施するための最良の形態】
【０００９】
以下、本願に係る光記録媒体の一実施形態を図面に基づいて説明する。なお、以下の実施形態では、光ディスクに２層片面（すなわち、デュアルレイヤ）のＤＶＤ−Ｒを適用した場合について説明する。
【００１０】
（光記録媒体の実施形態）
図１は本願の光記録媒体の一実施形態を示す断面構成図である。
【００１１】
図１に示すように、光記録媒体としての光ディスク１０は、レーザ光ＬＢの入射面側から順に、カバー層１１、情報を記録するための第１記録トラック１２が形成された第１記録層Ｌ０（光ピックアップに近い側の記録層）、中間層１３、第１記録層Ｌ０を介して記録情報を記録するための第２記録トラック１４が形成された第２記録層Ｌ１（光ピックアップから遠い側の記録層）、ＰＣ（ポリカーボネート）基板１５が積層されている。そして、光ディスク１０の記録再生時には、下側から上側に向かって照射されるレーザ光ＬＢの集光位置を第１記録層Ｌ０又は第２記録層Ｌ１のいずれの記録層に合わせるかに応じて、第１記録層Ｌ０における記録再生が行なわれるか又は第２記録層Ｌ１における記録再生が行われる。
【００１２】
また、本実施形態の光ディスク１０では、第１記録層Ｌ０及び第２記録層Ｌ１は線速度一定で情報が記録されており、ＤＶＤの規格に準拠するように第１記録層Ｌ０及び第２記録層Ｌ１の各アドレス位置と半径との相対位置関係に基づいて第１記録層Ｌ０と第２記録層Ｌ１とでアドレス位置をオフセットさせた光ディスクである。つまり、光ディスク１０は、第１記録層Ｌ０と同じアドレス位置に相当する第２記録層Ｌ１のアドレス位置を相対的にオフセットさせている。
【００１３】
さらに、光ディスク１０は、第１記録トラック１２におけるトラックピッチＴＰ１に対する第２記録トラック１４におけるトラックピッチＴＰ２との比（ＴＰ１／ＴＰ２）が１を超えるようにしたものである。すなわち、光ディスク１０は、第２記録トラック１４におけるトラックピッチＴＰ２を、半径方向全体に亘るオフセット値が所定範囲内になるように第１記録トラック１２におけるトラックピッチＴＰ１よりも狭くしたものである。ここで、トラックピッチとは、光ディスク１０の第１又は第２記録トラック１２，１４の半径方向における間隔（なお、単位は、例えば（μｍ／トラック））である。また、上記所定値以下とは、後述するように例えば２００μｍ以下である。
【００１４】
以上のように２層型の光ディスク１０は構成されているので、該光ディスク１０の記録又は再生の際には、後述される情報記録再生装置の照射手段としての光ピックアップ２３によって、光ビームであるレーザ光ＬＢは、カバー層１１の側から、すなわち、図１中の下側から上側に向けて照射され、その焦点距離等が制御されると共に、光ディスク１０の半径方向における移動距離及び方向が制御される。これにより、それぞれの記録層にデータが記録され、又は記録されたデータが再生される。
【００１５】
このように、本実施形態の光ディスク１０では、第１記録層Ｌ０及び第２記録層Ｌ１の各アドレス位置と半径との相対位置関係に基づいて第１記録層Ｌ０と第２記録層Ｌ１とでアドレス位置を相対的にオフセットさせた光ディスクであって、第２記録トラック１４におけるトラックピッチＴＰ２を、半径方向全体に亘るオフセット値が２００μｍ以下になるように第１記録トラック１２におけるトラックピッチＴＰ１よりも狭くしたことにより、第１記録層Ｌ０及び第２記録層Ｌ１のアドレスと半径との相対位置関係のズレを小さくすることができる。その結果、ＯＰＣ用の領域やＲＭＤを記録するための領域に余裕を持たせることができる。
【００１６】
（実施例）
次に、図２〜図５に基づいてトラックピッチの比ＴＰ１／ＴＰ２を変えない場合（ＴＰ比１、破線で示す）と各％の差をつけた場合（実線で示す）とで、半径と第１記録層Ｌ０及び第２記録層Ｌ１の相対位置関係のズレを比較した例について説明する。
【００１７】
図２は半径ｒが２４ｍｍの位置でのオフセット量が２００μｍであり、トラックピッチ比を０．１％の差をつけた場合を示している。図２によれば、破線にて示すトラックピッチ比（ＴＰ１／ＴＰ２）を変えない場合と、実線にて示す第１記録層Ｌ０に対する第２記録層Ｌ１のトラックピッチ比を０．１％狭くした場合とを比較すると、トラックピッチ比を０．１％狭くした場合には、内周側での相対変位が２００μｍと低くなり、第１記録層Ｌ０及び第２記録層Ｌ１のアドレスと半径との相対位置関係のズレを小さくできることが判る。ここで、上述したオフセット量が２００μｍとは、第１記録層Ｌ０と同じアドレスに相当する第２記録層Ｌ１のアドレス位置を第１記録層Ｌ０より内周側に２００μｍオフセットさせたことである。
【００１８】
図３は半径ｒが２４ｍｍの位置でのオフセット量が１１６μｍであり、トラックピッチ比を０．２８％の差をつけた場合を示している。図３によれば、破線にて示すトラックピッチ比（ＴＰ１／ＴＰ２）を変えない場合と、実線にて示す第１記録層Ｌ０に対する第２記録層Ｌ１のトラックピッチ比を０．２８％狭くした場合とを比較すると、トラックピッチ比を０．２８％狭くした場合には、内周側及び外周側の双方共、相対変位が格段と低くなり、第１記録層Ｌ０及び第２記録層Ｌ１のアドレスと半径との相対位置関係のズレを極めて小さくできることが判る。
【００１９】
図４は半径ｒが２４ｍｍの位置でのオフセット量が１０５μｍであり、トラックピッチ比を０．５％の差をつけた場合を示している。図４によれば、破線にて示すトラックピッチ比（ＴＰ１／ＴＰ２）を変えない場合と、実線にて示す第１記録層Ｌ０に対する第２記録層Ｌ１のトラックピッチ比を０．５％狭くした場合とを比較すると、トラックピッチ比を０．５％狭くした場合には、外周側での相対変位が若干増加するものの、内周側での相対変位が低くなり、第１記録層Ｌ０及び第２記録層Ｌ１のアドレスと半径との相対位置関係のズレを小さくできることが判る。この場合、トラックピッチ比を０．６％狭くしても略同様の結果が得られた。
【００２０】
図５は半径ｒが２４ｍｍの位置でのオフセット量が１０５μｍであり、トラックピッチ比を１％の差をつけた場合を示している。図５によれば、破線にて示すトラックピッチ比（ＴＰ１／ＴＰ２）を変えない場合と、実線にて示す第１記録層Ｌ０に対する第２記録層Ｌ１のトラックピッチ比を１％狭くした場合とを比較すると、トラックピッチ比を１％狭くした場合には、相対変位が外周側で約２８０μｍと大きくなり、第１記録層Ｌ０及び第２記録層Ｌ１のアドレスと半径との相対位置関係のズレを小さくすることができないということが判明した。
【００２１】
以上のような実施例によれば、第１記録層Ｌ０及び第２記録層Ｌ１は線速度一定で情報が記録されており、第１記録層Ｌ０と同じアドレスに相当する第２記録層Ｌ１のアドレス位置を第１記録層Ｌ０より内周側に１０５〜１１６μｍの範囲でオフセットさせるとともに、第１記録層Ｌ０におけるトラックピッチＴＰ１に対して第２記録層Ｌ１におけるトラックピッチＴＰ２を０．１〜０．６％の範囲内で狭くすれば、第１記録層Ｌ０及び第２記録層Ｌ１のアドレスと半径との相対位置関係のズレを小さくすることができる。特に、オフセット量が１１６μｍであり、第１記録層Ｌ０に対する第２記録層Ｌ１のトラックピッチ比を０．２８％狭くした場合には、第１記録層Ｌ０及び第２記録層Ｌ１のアドレスと半径との相対位置関係のズレを極めて小さくできることが判明した。
【００２２】
なお、第１記録層Ｌ０におけるトラックピッチＴＰ１に対して第２記録層Ｌ１におけるトラックピッチＴＰ２の比を０．１未満狭くした場合には、トラックピッチ比を変えない場合と同様に内周側での相対変位が２００μｍを超えて大きくなり、第１記録層Ｌ０及び第２記録層Ｌ１のアドレスと半径との相対位置関係のズレを小さくすることができない。
【００２３】
また、第１記録層Ｌ０におけるトラックピッチＴＰ１に対して第２記録層Ｌ１におけるトラックピッチＴＰ２の比が０．６を超えるように狭くした場合には、トラックピッチの比を変えない場合と比較して逆に外周側での相対変位が２８０μｍ以上に大きくなり、第１記録層Ｌ０及び第２記録層Ｌ１のアドレスと半径との相対位置関係のズレを小さくすることができない。
【００２４】
（情報記録再生装置への適用例）
次に、上述のように構成された光記録媒体に対して、図６に示すような情報記録再生装置２０を用いて情報の記録再生を行う場合について説明する。すなわち、情報記録再生装置２０は、コントローラ２４の制御下で、光ディスク１０に情報を記録するとともに、光ディスク１０に記録された情報を読み取る装置である。
【００２５】
図６に示すように、情報記録再生装置２０において、光ディスク１０は、回転駆動手段としてのスピンドルモータ２１によって所定の速度で回転される。なお、スピンドルモータ２１は、後述する回転制御部２２によって駆動され、光ディスク１０を所定の回転速度で回転駆動させる。
【００２６】
また、光ディスク１０には、情報記録再生装置２０の光ピックアップ２３から光量をコントロールされたレーザ光ＬＢが照射される。光ディスク１０で反射されたレーザ光ＬＢは、光ピックアップ２３の光検出部（図示せず）に照射される。この光検出部は、分割光検出器などを用いて構成されており、光電変換及び電流電圧変換によって、上述したレーザ光ＬＢの反射光から、フォーカスエラー信号、トラッキングエラー信号、再生時には再生信号を生成する。上記フォーカスエラー信号、トラッキングエラー信号、再生信号は、情報記録再生装置２０全体の制御を行うコントローラ２４に供給される。再生信号は、再生信号処理回路２５にも供給され、ここで信号の再生が行われる。
【００２７】
コントローラ２４は、供給されたトラッキングエラー信号に基づいて、光ピックアップ２３の対物レンズ（図示せず）を制御するためのトラッキング制御信号を生成して、トラッキングサーボ２６に供給する。
【００２８】
このトラッキングサーボ２６が、供給されたトラッキング制御信号に応じて、光ピックアップ２３の対物レンズを駆動することにより、レーザ光ＬＢが第１記録トラック１２又は第２記録トラック１４に沿って照射される。
【００２９】
また、コントローラ２４は、フォーカスエラー信号に基づいて、レーザ光ＬＢの焦点位置が所望とする第１記録層Ｌ０又は第２記録層Ｌ１の位置となるように、光ピックアップ２３の対物レンズを制御するためのフォーカス制御信号を生成して、フォーカスサーボ２７に供給する。
【００３０】
コントローラ２４は、トラッキングエラー信号から読み出したプリピット内に記録されたアドレス情報に基づき、レーザ光ＬＢの焦点位置が、第１記録層Ｌ０から第２記録層Ｌ１へ、又は第２記録層Ｌ１から第１記録層Ｌ０になるように、光ピックアップ２３の対物レンズを制御するためのフォーカス制御信号を生成して、フォーカスサーボ２７に出力する。
【００３１】
このフォーカスサーボ２７は、出力されたフォーカス制御信号に応じて、光ピックアップ２３の対物レンズを駆動することにより、レーザ光ＬＢの焦点位置が所望とする記録層Ｌ０又はＬ１の位置となるように制御される。
【００３２】
また、コントローラ２４は、スピンドルモータ２１を制御するための回転制御信号を生成して回転制御部２２に出力する。この回転制御部２２が、出力された回転制御信号に応じてスピンドルモータ２１を駆動することにより、光ディスク１０の回転速度が所定の回転速度に制御される。
【００３３】
なお、本願は上記実施形態に限定されるものではなく、種々の変更が可能である。例えば、本願の光ディスク１０は、２層片面、すなわちデュアルレイヤに限定されるものではなく、２層両面、すなわちデュアルレイヤーダブルサイドであってもよい。また、上述の如く２層の記録層を有する光ディスクに限られることなく、３層以上の多層型の光ディスクであってもよい。３層以上の場合は、それぞれの層のオフセット量に応じたトラックピッチ比を設定する。その結果、本願の光ディスクに対する適用範囲を拡大することができる。そして、ブルーレーザーを記録再生に用いるディスク等の大容量記録媒体にも適用可能である。
【図面の簡単な説明】
【００３４】
【図１】本願の光記録媒体の一実施形態を示す断面構成図である。
【図２】トラックピッチ比と半径における第１記録層と第２記録層との相対位置関係のズレを示すグラフである。
【図３】トラックピッチ比と半径における第１記録層と第２記録層との相対位置関係のズレを示すグラフである。
【図４】トラックピッチ比と半径における第１記録層と第２記録層との相対位置関係のズレを示すグラフである。
【図５】トラックピッチ比と半径における第１記録層と第２記録層との相対位置関係のズレを示すグラフである。
【図６】本願を適用した情報記録再生装置を示す構成図である。
【符号の説明】
【００３５】
１０：光ディスク
１２：第１記録トラック
１３：中間層
１４：第２記録トラック
１５：ＰＣ基板
２０：情報記録再生装置
２１：スピンドルモータ
２２：回転制御部
２３：光ピックアップ
２４：コントローラ
Ｌ０：第１記録層
Ｌ１：第２記録層
ＴＰ１：トラックピッチ
ＴＰ２：トラックピッチ
【図１】
2006269022.tif 000003
【図２】
2006269022.tif 000004
【図３】
2006269022.tif 000005
【図４】
2006269022.tif 000006
【図５】
2006269022.tif 000007
【図６】
2006269022.tif 000008